(57)【要約】”ブラックボックス”に対する防御手段を提供する種々の技術と実施例が開示され、この技術はコピー保護信号を含むビデオ信号の垂直帰線消去期間（ＶＢＩ）を検出する従来にない機構を使用する。この従来にない機構は、ブラックボックスに特に興味があり、これは、不法にコピー保護信号除去するタスクを実行するために、垂直レート信号を発生するために、ＶＢＩの位置を捜さねばならない。従来にない機構は、ＶＢＩを検出しそしてそれから信頼性のある垂直又はフレームレート信号を発生するために、ＶＢＩ信号内のビデオ信号の特定の特徴又は特性を使用する。この特徴は、ＶＢＩの特定の走査線で発生する、そして、信頼性のある垂直又はフレームレート信号を得ることを可能とするために検出されうる、種々のパルス間隔及び／又はパルス幅を含む。代わりに、ＶＢＩの特徴信号を修正する技術も、前述の検出の従来にない機構を使用して、正しい又は信頼性のある垂直又はフレームレート信号を引き出すことを防止するために、開示される。第３のものは、信頼性ある垂直レート又はフレーム信号が、コピー防止保護信号又は標準ビデオ信号を減じ、破り又は修正するために使用される。【特許請求の範囲】
【請求項１】
ビデオ信号内の垂直帰線消去期間（ＶＢＩ）を識別する方法であって、ＶＢＩはビデオ水平走査線と水平同期（Ｈ同期）信号を有し、
垂直帰線消去期間の選択されたビデオ走査線内に発生するパルスの選択されたエッジの間で発生する時間期間を検知するステップと、
検知された時間期間に応答して、ＶＢＩ内の望ましい位置に、ＶＢＩの存在を信頼性よく示す、垂直／フレームレート信号を発生するステップとを有する、垂直帰線消去期間を識別する方法。
【請求項２】
パルスの選択されたエッジは、選択されたビデオ走査線のＶＢＩの前等化、後等化又は、垂直同期パルス期間に発生する、請求項１に記載の方法。
【請求項３】
発生するステップは、
望ましい位置を示すタイミング信号を生成し、
そのタイミング信号に応答して、その望ましい位置で、信頼性のある垂直／フレームレート信号を再生する、ことを含む請求項１に記載の方法。
【請求項４】
検知するステップは、
Ｈ同期パルスの間の時間期間を検知し、且つ、Ｈ同期信号の間の時間期間が、標準の６４マイクロ秒ではなく、ＶＢＩでのみ発生する約３２マイクロ秒（μｓ）であるときに検出する、ことを含む請求項１に記載の方法。
【請求項５】
検知するステップは、ビデオ信号を３２μｓ±２０％の間隔を検出する手段へ供給することを含む、請求項４に記載の方法。
【請求項６】
検知するステップは、ＶＢＩの等化パルス及び／又は鋸歯状の垂直同期パルスからエッジの３２μｓの間隔により発生された約３２μｓ期間に対応する周波数成分を検知することを含む、請求項４に記載の方法。
【請求項７】
検知するステップは、標準のＨ同期信号は出力を生成しないが、一方、垂直同期信号のような５μｓより長いパルスは信頼性のある垂直／フレームレート信号を発生するように、Ｈ同期信号の最初の５マイクロ秒（μｓ）をゲートすることを含む、請求項１に記載の方法。
【請求項８】
少なくとも５μｓの継続期間であるＨ同期信号を発生し、
標準のＨ同期信号の発生を遅延し、
信頼性ある垂直／フレームレート信号に対応する広い垂直同期信号の出力を供給するために、より長いＨ同期信号と遅延された標準のＨ同期信号を結合する、ことを含む、請求項７に記載の方法。
【請求項９】
検知するステップは、ビデオ走査線６−７及び走査線２６９でＶＢＩに発生する前縁変化の間の約７μｓの時間期間を検知する、ことを含む、請求項１に記載の方法。
【請求項１０】
検知するステップは、４．７μｓより短く且つＶＢＩ内で発生する同期信号のパルス幅を測定することを含む、請求項１に記載の方法。
【請求項１１】
検知するステップは、広い垂直信号の出力を許すために、４．７マイクロ秒（μｓ）より長いがしかし約２７μｓより短いパルスを発生するために、同期の前縁をトリガオフし一方、２７μｓの継続期間より長いＨ同期信号をゲートすることを含む請求項１に記載の方法。
【請求項１２】
検知するステップは、２つのパルスの後縁変化の間の間隔を測定し、かつ、走査線２６６と走査線３−４で発生する約５６．５マイクロ秒の間隔を検知する、ことを含む、請求項１に記載の方法。
【請求項１３】
検知するステップは、２分の１のビデオ走査線継続期間より長いパルスの継続期間についてのＨ同期信号の後縁をトリガオフし、且つ、ＶＢＩ内の選択された走査線で１水平走査線より長いがしかし２水平走査線より短い間隔を検知することを含む、請求項１に記載の方法。
【請求項１４】
検知するステップは、その期間が２分の１の走査線継続期間より長いタイミング信号を発生し、
タイミング信号に応答して、約６４マイクロ秒（μｓ）より長いがしかし約１２８μｓより短い期間を検出する、ことを含む請求項１３に記載の方法。
【請求項１５】
その期間は約８８μｓである、請求項１４に記載の方法。
【請求項１６】
その期間は約７１μｓである、請求項１４に記載の方法。
【請求項１７】
その期間は約９６μｓである、請求項１４に記載の方法。
【請求項１８】
約５６．５μｓの走査線２６６の後縁の間の間隔を検知することを含む、請求項１３に記載の方法。
【請求項１９】
ＶＢＩは選択されたビデオ走査線に擬似同期パルスを含み、且つ、検知するステップは、擬似同期パルス間の１０マイクロ秒より短い公称間隔を検知することを含む、請求項１に記載の方法。
【請求項２０】
ビデオ信号は、コピー保護信号を含み、更に、
ビデオ信号内のコピー保護信号の効果を減じ又は破るために、その発生された垂直レート信号に応答してコピー保護信号を修正するステップを有する、請求項１に記載の方法。
【請求項２１】
修正するステップは、
そのＶＢＩに選択された継続期間のパルスを供給し、
ビデオ信号に標準Ｈ同期信号の位相と周波数に実質的に同等な再生された同期パルスを供給し、
選択された継続期間のパルスに応答してそのＶＢＩの少なくとも部分を帰線消去し、
コピー保護信号をそれに従って変えるために、そのＶＢＩの帰線消去された部分へ、少なくとも幾つかの再生された同期パルスを戻して加える、ことを含む、請求項２０に記載の方法。
【請求項２２】
再生された同期パルスは、約１マイクロ秒から約１０マイクロ秒の継続期間を有する、請求項２１に記載の方法。
【請求項２３】
ビデオ信号内の垂直帰線消去期間（ＶＢＩ）を識別する装置であって、ＶＢＩはビデオ水平走査線と水平同期（Ｈ同期）信号を有し、
ビデオ信号内の同期信号を示すタイミング信号を供給するためにビデオ信号を受信するタイミング回路と、
ＶＢＩのビデオ信号には特別な選択されたパルス幅及び／又はパルスエッジ間隔を検知し、且つ、垂直フレームレート信号を発生する、タイミング信号に応答する処理回路と、を有する垂直帰線消去期間を識別する装置。
【請求項２４】
前記処理回路は、選択されたパルス幅及び／又はパルスエッジ間隔の検知に応答して、ＶＢＩの望ましい位置に、ＶＢＩの存在を示す、垂直／フレームレート信号を発生する手段を有する、請求項２３に記載の装置。
【請求項２５】
発生する手段は、ＶＢＩの望ましい位置に信頼性のある垂直／フレームレート信号を再生するための第２のタイミング信号を発生するタイミング発生器回路を含み、これはビデオ信号の選択的な修正を可能とする、請求項２４に記載の装置。
【請求項２６】
そのタイミング回路は、同期分離器回路を含む、請求項２３に記載の装置。
【請求項２７】
その処理回路は、
パルス変化間隔の間の３２マイクロ秒±２０％の期間を検知する間隔検出器と、
垂直／フレームレート信号を発生するためにその間隔検出器に応答する手段とを有する、請求項２３に記載の装置。
【請求項２８】
その処理回路は、ＶＢＩの等化パルス及び／又は鋸歯状の垂直同期パルスのエッジ変化の３２μｓの間隔により発生された約３２マイクロ秒（μｓ）期間に対応する周波数成分を検知するためにビデオ信号を受信する周波数検知回路を有する、請求項２３に記載の装置。
【請求項２９】
約１６μｓ期間のワンショット回路と、
そのワンショット回路回路に接続された２０から４５ｋＨｚの帯域通過フィルタと、
その帯域通過フィルタに接続されたしきい値検出器回路とを有する、請求項２８に記載の装置。
【請求項３０】
その処理回路は、
ビデオ走査線６−７及び／又は２６９の前縁変化の間の７マイクロ秒の間隔を検知する間隔検出器と、
垂直／フレームレート信号を発生するためにその間隔検出器に応答する手段とを有する、請求項２３に記載の装置。
【請求項３１】
その処理回路は、
後縁変化の間の約５６．５マイクロ秒の間隔を検知する間隔検出器と、
垂直／フレームレート信号を発生するためにその間隔検出器に応答する手段とを有する、請求項２３に記載の装置。
【請求項３２】
その処理回路は、
約２マイクロ秒（μｓ）のパルス幅を検知するパルス幅検出器と、
垂直／フレームレート信号を発生するためにそのパルス幅検出器に応答する手段とを有する、請求項２３に記載の装置。
【請求項３３】
そのパルス幅検出器は、反転された同期パルスを受信し、且つ、４．７μｓのパルス幅を検知する、請求項３２に記載の装置。
【請求項３４】
その処理回路は、
５μｓより長いパルスのみが垂直／フレームレート信号を発生するように、いすれの同期パルスの最初の５マイクロ秒（μｓ）をゲートするために反転されたビデオ信号を受信するパルス検出器回路を有する、請求項２３に記載の装置。
【請求項３５】
そのパルス検出器回路は、
少なくとも５μｓのパルスを供給するために反転されたビデオ信号を受信するワンショット回路と、
その反転されたビデオ信号を受信する遅延線と、
５μｓのパルスの反転版と遅延された反転されたビデオ信号の反転版を受信するＡＮＤゲートとを有する、請求項３４に記載の装置。
【請求項３６】
その処理回路は、
ビデオ同期信号の後縁をトリガオンし且つその期間は２分の１のビデオ走査線よりも長い、タイミング回路と、
１水平走査線より長いがしかし２水平走査線よりも短い期間を検知する、そのタイミング回路に応答する検出器回路と、
垂直／フレームレート信号を発生するためにその検出器回路に応答する手段とを有する、請求項２３に記載の装置。
【請求項３７】
その検出器回路は、そのタイミング回路からの前縁変化に応答し、且つ、検知された期間は約７１、８８又は、９６マイクロ秒を有する、請求項３６に記載の装置。
【請求項３８】
その処理回路はインバータ回路を有し、パルス幅検出器は４．７マイクロ秒のパルス期間を検知するためにそのインバータ回路に応答する、請求項２３に記載の装置。
【請求項３９】
その処理回路は、２分の１水平走査線（１／２Ｈ）−ビデオ走査線３−４及び２６６の２．３マイクロ秒の期間について検知するパルス幅検出器を有する、請求項２３に記載の装置。
【請求項４０】
その処理回路は、２分の１水平走査線の期間（１／２Ｈ）−４．７マイクロ秒について検知するパルス幅検出器を有する、請求項２３に記載の装置。
【請求項４１】
そのビデオ信号は、標準ビデオ信号又はコピー保護信号を含むビデオ信号を有し、更に、
標準ビデオ信号又はコピー保護信号を選択的に修正するために、発生された信頼性のある垂直／フレームレート信号に応答する第２の処理回路を有する、請求項２３に記載の装置。
【請求項４２】
その第２の処理回路は、
ＶＢＩに選択された継続期間のパルスを発生する第２のタイミング発生器回路と、
Ｈ同期信号に実質的に同様な再生された同期パルスを発生するカウンタ／タイミング回路と、
その選択された継続期間のパルスに応答して、ＶＢＩの少なくとも部分を帰線消去するために、ビデオ信号を受信する帰線消去回路と、
標準のビデオ信号又はコピー保護信号を修正するために、ＶＢＩの帰線消去された部分へ、幾つかの再生された同期パルスを加えて戻す結合回路とを有する、請求項４１に記載の装置。
【請求項４３】
コピー保護信号を含む又は含まないビデオ信号の垂直帰線消去期間（ＶＢＩ）の信号の特定の特徴及び特性に基づいて今までにない技術を介した信頼性のある垂直／フレームレート信号の発生を防止する方法であって、
選択されたビデオ走査線だけでなく、ＶＢＩの選択された部分のそれぞれの位置を識別するタイミング／位置信号を供給するステップと、
信頼性のない垂直／フレームレート信号を発生するために、それらの検出を発生するために、タイミング／位置信号に応答して、ＶＢＩ内又は付近の選択された信号の種々のパルスエッジ間隔及び／又は幅を修正するステップと、
を有する、発生を防止する方法。
【請求項４４】
供給するステップは、ビデオ走査線６−７及び／又は２６９の約７マイクロ秒（μｓ）の間隔の位置を識別し、
修正するステップは、その検出を効果的に防止するために、その７μｓの間隔を実質的に減じ、短くし、長くし及び／又は、除去することを含む、請求項４３に記載の方法。
【請求項４５】
供給するステップは、ビデオ走査線３−４及び／又は２６６の約５６．５マイクロ秒（μｓ）の間隔の位置を識別し、
修正するステップは、その検出を効果的に防止するために、その５６．５μｓの間隔を実質的に減じ、短くし、長くし及び／又は、除去することを含む、請求項４３に記載の方法。
【請求項４６】
供給するステップは、アクティブビデオフィールドの最後内又は付近の位置を識別し、
修正するステップは、信頼性のある垂直／フレームレート信号の発生を防止するために、標準同期パルスと同様な選択された信号を、その位置に挿入することを含む、請求項４３に記載の方法。
【請求項４７】
供給するステップは、Ｈ同期及びフレーム信号を供給することを含み、タイミング／位置信号はＨ同期及びフレーム信号に応答して走査線及び画素位置信号を供給し、
修正するステップは、その走査線及び及び画素位置信号に応答して、ビデオ信号の１つ又はそれ以上の部分を、減じ、幅を変化させ、選択的に変調し及び／又は、レベルシフトすることを含む、請求項４３に記載の方法。
【請求項４８】
ＶＢＩは、半分の走査線等化及び垂直同期パルスを含み、修正するステップは、垂直期間のビデオ走査線の等化パルス又は半分の走査線パルスの結合を修正することを含み、これは３２マイクロ秒（μｓ）検出器に、信頼性のない垂直／フレームレート信号を発生させる、請求項４３に記載の方法。
【請求項４９】
１つ又はそれ以上の負又は正の進行中のパルスが、等化パルスの選択された位置に加えられ又は挿入される、請求項４８に記載の方法。
【請求項５０】
１つ又はそれ以上の等化及び／又は垂直同期パルスは、それらを減じ、狭め又は除去することにより、修正される、請求項４８に記載の方法。
【請求項５１】
種々のパルスエッジは、正の進行中又は負の進行中である、請求項４３に記載の方法。
【請求項５２】
変調された又はされていない、負の進行中のパルスは、パルスエッジ間隔又は幅の検出器に、誤って時を指定された垂直／フレームレートパルスを発生させるために、ＶＢＩの外側のビデオ信号に加えられ又は挿入される、請求項４３に記載の方法。
【請求項５３】
コピー保護信号を含む又は含まないビデオ信号の垂直帰線消去期間（ＶＢＩ）の信号の特定の特徴及び特性に基づいて今までにない技術を介した信頼性のある垂直／フレームレート信号の発生を防止する装置であって、
選択されたビデオ走査線だけでなく、ＶＢＩの選択された部分のそれぞれの位置を認識するタイミング／位置信号を供給するためにビデオ信号を受信するタイミング回路を有し、
ＶＢＩの信号の種々のパルスエッジ間隔及び／又は幅を選択的に修正するために、タイミング／位置信号に応答する処理回路を有し、それらの検出を防止しそれにより信頼性のある垂直／フレームレート信号の発生を防止する、装置。
【請求項５４】
Ｈ同期及びフレーム信号を発生するためにビデオ信号を受信する同期分離器回路を有し、
前記タイミング回路は、走査線及び画素位置信号を供給するためにＨ同期及びフレーム信号に応答し、
処理回路は、その走査線及び画素位置信号に応答して、ビデオ信号の部分を、減じ、幅を変化させ、選択的に変調し及び／又は、レベルシフトする、修正器回路を有する、請求項５３に記載の装置。
【請求項５５】
そのタイミング回路は、ビデオ信号の選択された部分を示すタイミング／位置信号を供給するために走査線及び画素位置信号受信するＡＮＤゲートを有し、
その処理回路は、ビデオ信号と選択された電圧信号を受信し且つ選択された部分のビデオ信号へその選択された電圧信号を与えるためにタイミング信号に応答するスイッチ手段を有する、請求項５３に記載の装置。
【請求項５６】
選択された電圧信号は、負及び／又は正の進行中のするパルスのいずれかであり、選択された電圧信号が標準の帰線消去レベルより低いときには、負の進行中のパルスが挿入され及び／又は現在ある負の進行中のパルスが広げられ、そして、代わりに、選択された電圧信号が約標準の帰線消去レベルであるときには、現在ある負の進行中のパルスは少なくとも狭められ及び／又は正の進行中のパルスが挿入される、請求項５５に記載の装置。
【発明の詳細な説明】
【０００１】
発明の背景
本発明は、コピー保護信号の効果を破る又は減少させる処理だけでなく、テレビジョン（ＴＶ）コピー防止保護（ＡＣＰ）処理に関連し、特に、テレビジョン信号の垂直帰線消去期間（ＶＢＩ）の発生を認識する種々の従来にない技術に関連する。この情報は、ＶＢＩの種々のビデオ走査線に従来挿入されている種々の形式のコピー保護信号を除去するために、ＶＢＩの位置を捜すこと必要とする、コピー保護破り処理で必要とされる。本発明は、さらに、ＶＢＩを識別する処理を破る技術、即ち、ここに開示されている従来にない技術を介したＶＢＩの識別を防止する技術にも関連する。
【０００２】
テレビジョンの分野では、種々の記録媒体上に記録された又は種々の伝送媒体を介して伝送されたテレビジョン信号を保護するコピー保護処理の開発が、利益のために記録された又は伝送された信号を不法にコピーするために、ＴＶ信号からコピー保護信号の位置を捜しそして除去するための機構又は装置の拡散となった。コピー保護処理を破る典型的なそのような装置は、口語では”ブラックボックス”として知られている。
【０００３】
種々の形式の不法ブラックボックスは、例えば、擬似同期／ＡＧＣパルス操作、水平又は垂直同期信号抑圧及び／又は変調、カラーバースト操作等の技術を使用するような、それぞれの形式のコピー保護（又はスクランブルされた）信号を無効化するのに効果的である。多くのそのような形式の不法なブラックボックスでは、第１に、信頼性のある垂直同期信号又は垂直レートの信号の位置を捜すことが必要である。一旦、信頼性のある垂直に関連する信号が確立されると、同期分離器のような回路と低域通過フィルタは、順にコピー保護信号を破りそして視聴できるビデオ信号を発生することを可能とする、タイミング信号を出力する。典型的な技術では、回路は、垂直（又はフレーム）レート信号を発生するために、特徴的により長く広い垂直同期パルスを識別するのに使用される。さらなる技術では、ブラックボックスは、不法な復号を達成するために、テレビジョン信号内のカラーバースト信号を使用し、ＶＢＩの従来の走査線のカラーバーストの欠如は、それによりＶＢＩを認識するために検出されそして信頼性のある垂直レート信号の不法な発生を可能化することができる。
【０００４】
更なる形式のブラックボックス技術では、ＶＢＩの位置と垂直関連信号の発生を決定するためにビデオ信号を分析するのにコンピュータが使用され、それによりコピー保護された信号を不法に復号することを可能とする。
【０００５】
発明の概要
従って、例えば、標準、スクランブルされた及び、コピー保護されたビデオ信号のような、ビデオ入力信号に基づいて、ＶＢＩを識別し且つ信頼性のある垂直及び／又はフレームレート信号を発生する、全ての可能な代わりの従来にない技術を探すことが非常に望ましい。
【０００６】
このために、本発明は、垂直帰線消去期間（ＶＢＩ）内のビデオ走査線波形の特性と特別の特徴に基づいて、従来にない技術を採用するＶＢＩを識別する方法及び装置の種々の実施例を提供する。実施例に含まれるのは、例示のためのみに列挙されたものである。
【０００７】
第１の実施例は、ある水平同期エッジ間の時間期間を検知する。標準の水平同期パルス間の時間期間は、６３．５５マイクロ秒（μｓ）である。しかしながら、ＶＢＩでは、パルスは、標準期間の約半分又は約３２μｓだけ離れている。３２μｓの間隔は、ＶＢＩを識別しそして垂直レートパルスを発生する指示と考えることができることになる。タイミング回路は、そして、ＡＣＰ又はビデオ信号を修正するために、適切なタイミングを有する垂直又はフレームレートパルスを発生するのに使用されうる。
【０００８】
他の実施例は、約４．７μｓプラス２．３μｓ又は、約７μｓの時間期間を検知する。この時間期間は、ＮＴＳＣカラービデオ規格の走査線６（６）−７（７）の及び、走査線２６９のＶＢＩに発生しそして、検出に際しＶＢＩインジケータとして使用されることが可能である。
【０００９】
更なる実施例は、標準の４．７μより短いパルスに対して水平同期信号のパルス幅を測定することを含み、この狭い水平同期信号はＶＢＩで発生しそして、ＶＢＩのインジケータとして使用されることが可能である。
【００１０】
他の実施例は、水平同期信号の前縁をトリガオフすることにより４．７μｓより長いがしかし約２７μｓより短いパルスを発生することを含む。そして、このパルスは、同期パルスをゲートするために使用される。垂直同期信号を構成する広い垂直パルスのような信号は、パルスを出力し、一方、水平同期信号及び／又は等化パルスは、ゲートされそして、パルスを出力しない。この条件もＶＢＩの指示を提供する。
【００１１】
更なる実施例では、２つのパルスの後縁の間の時間期間を測定しそして、ＮＴＳＣ規格ではビデオ走査線２６６と走査線３（３）−４（４）で１フィールドに１回発生する、約５６．５μｓの時間期間を検索することを含む。５６．５μｓの時間期間の検出は、ＶＢＩの指示として使用される。
【００１２】
更に、更なる実施例は、水平同期パルス（Ｈｓｙｎｃ）の（前縁よりも）後縁をトリガオフする、走査線継続期間の半分（１／２Ｈ）を超える非再トリガ可能な期間の間（即ち、約４５μｓ）、”不適当な”又は不正確に動作する（即ち、単純に”不正確”）２Ｈエリミネータ回路を提供することを含む。大部分のビデオ走査線の間の、”不正確な”２Ｈエリミネータ回路の出力で測定されたこの時間期間は、（ＮＴＳＣ規格での）走査線２６６と３−４を除いて、６３．５５μｓである。走査線３−４のＨ同期パルスの前縁の間の時間期間は、約８８．３μｓであり、そして、走査線２６６の同期パルスの後縁の間の期間は、５６．５μｓである。この情報は、ＶＢＩの存在の指示として使用されることが可能であり、これにより、垂直レート信号が生成されうる。
【００１３】
他の実施例は、対応するコピー防止保護信号の擬似同期パルスを検知し且つ、ＶＢＩの位置を捜すために、公称は１０μｓより短い、これらのパルスの間の時間期間を測定することを含む。
【００１４】
本発明の代わりの部分では、即ち、ＶＢＩ信号が、上述のように従来にない技術をＶＢＩの位置を捜すことから防ぐために修正され、ＶＢＩの識別を防ぐ更なる実施例は、垂直同期信号の少なくとも一部内の２Ｈ（２倍の水平）パルスを除去する又は、アクティブＴＶフィールドの低部付近に偽の２Ｈパルスを追加する（等の）ように、ある特定のパルスを除去し又は修正することを含む。更に加えて、パルスの除去又は追加は、更なる劣化された信号をブラックボックスに出力させるために、例えば、ＡＭ、位置及び／又パルス幅変調処理により変調されうる。
【００１５】
本発明の第３の部分は、本発明の第１の部分により発生された信頼性のある垂直レート信号の使用に関連し、それは、コピー防止保護信号の効果を修正し又はそうでなければ減少させるために、従来にない技術でＶＢＩを認識する。
【００１６】
好ましい実施例の詳細な説明
本発明は、３つの個々のまだ相補的な部分又は概念を考えることは理解されよう。
【００１７】
第１に、本発明は、従来のテレビジョン信号のＶＢＩ波形の特定の特徴及び特性により可能となされた従来にない技術を使用して垂直レート信号を得る、信頼性のある垂直レート発生部分に関する。
【００１８】
第２に、本発明は、本発明の上述の第１の部分の従来にない技術を使用してそれらのような信頼性のある垂直レート信号を引き出すことを防止するために、従来のテレビジョン信号のＶＢＩの特定の信号を選択的に修正する部分に関する。
【００１９】
第３に、本発明は、ＶＣＲ及び／又はＴＶ受信機についてのコピー保護された信号の効果を減少させるために、前述の第１の部分の従来にないように得られた、信頼性のある垂直レート信号を使用し、そして、テレビジョン信号又はコピー保護されたテレビジョン信号を選択的に修正する、部分に関連する。
【００２０】
本発明の第１の部分を考慮すると、図１は、ＮＴＳＣカラーテレビジョン規格の従来のＶＢＩのパルス幅及び／又はパルス間隔の幾つかの例を図式で示し、その寸法及び／又はタイミングは、ＶＢＩの存在を識別する従来にない手段を提供する。パルス幅及び／又は間隔の特定の例は、それぞれの図面に関して以下の明細書の説明を容易にするために、円で囲まれそして番号が付されている。ＮＴＳＣ規格に関して説明される技術は、ＰＡＬ等の規格へ等しく適用可能であることは、理解されよう。
【００２１】
図１は、更に、取り出された部分の、＃５と＃１、＃３の番号がそれぞれ付された本発明の例を、更に詳細に示す、図１Ａと１Ｂに説明される。図１Ａと１Ｂは、種々のパルス幅、間隔等を詳細に示す説明を含み、そして、従って、一般的には、図１と共にすればそれ自身で説明的である。
【００２２】
図２は、前述の本発明の第１の部分を定義する基本回路を示し、コピー保護信号を含むビデオ信号は、信号処理回路２４だけでなく、タイミング回路２２へ、入力２０を介して供給される。入力同期信号を示すタイミング信号が、（同期分離器を含み得る）回路２２により、他の信号処理回路２６へ供給される。本発明の第１の部分に従って、処理回路２６は、図１に示されたＶＢＩ波形に特別の選択されたパルス幅及び／又はパルス間隔を検知する回路手段を有する。回路２６の出力は望ましい信頼性ある垂直レート信号ということである。破線で示されたように、例えば、ＶＢＩ内に、ビデオ及び／又はＡＣＰビデオ信号を修正するのに使用される、垂直又はフレームレート信号を適切に再配置するために適切なタイミングを提供するために、最適なタイミング回路２５が、含まれても良い。
【００２３】
本発明の実施例は、信頼性のある垂直レート信号を供給するように（部分又は概念１内に）ここでは説明されているが、望まれるなら、信頼性のあるフレームレート信号が供給され、そして、適する垂直レート信号が、フレームレート信号から得られうることは、は理解されよう。
【００２４】
本発明に従って、信頼性ある垂直（又はフレーム）レート信号は、修正されたＡＣＰ信号を出力２９に供給するために、入力２８に示されたコピー保護されたビデオ信号のような、ビデオ信号内に埋め込まれたコピー防止保護（ＡＣＰ）信号を選択的に修正するために、本発明の第３の部分として以前に定義された、処理回路２４で、順に、使用される。回路２２と２６により発生された垂直レート信号は、垂直レート信号を必要とする他の形式のユーザ装置で使用されてもよく、そして、例示のみによりここに示されているＡＣＰ処理回路２４と共に使用されることに限定されないことは、容易に明らかである。
【００２５】
図３は、ＶＢＩ内の約３２マイクロ秒（μｓ）の間隔について、１つの同期パルスから他の同期パルスへの正又は負の変化の間の期間又は間隔を検知することにより、本発明に従って信頼性のある垂直レート信号を発生する２つの異なる回路を示す。３２μｓの間隔は、前等化パルス期間、垂直同期パルス期間に又は、後等化パルス期間のような、垂直同期信号内に発生する。図１と１Ａのサンプル＃１を参照する。このために、一実施例では、複合同期信号のようなビデオ同期信号は、入力３８で、約３２μｓ±２０％のパルス変化間隔を検出する、間隔検出器４０に供給され、ここで、変化は正又は負である。このように、間隔検出器４０は、信頼性のある垂直レート信号４２を出力４２を介して供給する。
【００２６】
図３の他の実施例では、入力３８のビデオ同期信号は、約３２μｓの期間に対応する周波数成分を検知する、周波数検知回路４４に供給される。再び図１と１Ｂの例＃１を参照する。図３では、ビデオの同期信号は、主に約１５．７３４キロヘルツ（ｋＨｚ）の周波数である。しかし、ＶＢＩでは、等化パルス又は鋸歯状の垂直同期パルスのような垂直同期信号からのエッジの３２μｓの間隔により、３１．５ｋＨｚの周波数成分がある。検知回路４４は、従って、（オプションで）ピーク化された応答を供給するために、帯域通過フィルタ４８又は等化物に接続された１６μｓのワンショット４６を有する。帯域通過フィルタ４８の出力は、３２μｓの期間のパルスが存在するときに、信頼性のある垂直レート信号５２を出力５２に供給するしきい値検出器５０へ供給される。帯域通過フィルタ４８は、例えば、２０ｋＨｚから４５ｋＨｚの範囲を有しうる。示されているように、図３の垂直レート信号４２と５２は、ＶＢＩのどの部分内でそれらが検出されたかに依存して、同じではない場合もある。
【００２７】
図４は、他の特定のエッジ変化間隔及び／又はパルス幅を検知することにより、垂直レート信号を発生する、本発明の幾つかの他の実施例を示す。一実施例では、入力５６に、ビデオ同期信号が、ビデオ走査線６−７及び／又は２６９の前縁変化の間の７μｓの間隔を検知する、間隔検出器５８へ供給される。図１の例＃２を参照する。検出器５８は、７μｓの間隔を検知すると、出力６０へ、信頼性のある垂直レート信号６０を供給する。
【００２８】
他の実施例では、ビデオ同期信号は、ビデオ走査線３−４及び／又は２６６の後縁の変化の間の約５６．５μｓについて検知する、間隔検出器６２へ供給される。図１と１Ｂの例＃５を参照する。検出器６２は、そして、５６．５μｓ間隔を検知すると信頼性のある垂直レート信号６４を出力６４に供給する。
【００２９】
図４の更なる実施例では、パルス幅検出器６６は、入力５６を介してビデオ同期信号に結合され、そして、等化パルスのような約２μｓのパルス幅を検出し、そして、それに応答して、信頼性のある垂直レート信号６８を出力６８に供給する。図１の例＃３を参照する。検出器６６は、反転された同期パルスの極性も受信し、そして、例＃３Ａにより図１Ｂに示されているように、垂直鋸歯状信号の４．７μｓのパルス幅も検知する。
【００３０】
図４に示された他の実施例は、入力５６とインバータ７４を介して、反転されたビデオ同期信号を受信する、ワンショット７２で構成されたパルス検出器回路７０を有する。ワンショット７２は、インバータ７８を介してＡＮＤゲート７６に接続されており、そして、ＡＮＤゲート７６の第２の入力は、遅延回路８０を介して、インバータ７４からの時間遅延された信号である。パルス検出器回路７０は、例えば、少なくとも５μｓの標準より長い幅を有する水平同期信号を発生し、それにより、同期パルスの最初の５μｓをゲートする。等化パルス（約２μｓ）及び標準水平同期パルス（４．７μｓ）のような、全てのパルスは、ＡＮＤゲート７６から出力を生じない。垂直同期パルスのような５μｓより長いパルスのみ、ＡＮＤゲート７６を介して、出力８２に、信頼性のある垂直レート信号８２を発生する。図１の例＃４を参照する。
【００３１】
図４に示された本発明の最後の実施例は、”不正確な”（即ち、” 不適当な）２倍の水平レート（２Ｈ）エリミネータ回路８６を含む。即ち、ビデオ同期信号パルスの後縁が、例えば４０μｓの、半分の水平走査線期間よりも長い期間のワンショット８８より構成されるタイミング回路をトリガするのに使用される。ワンショット８８の出力は、約８８μｓの期間を検知しそしてワンショットのパルスの前縁をトリガオフする検出器９０へ供給される。図１の例＃６を参照する。”正しい”２Ｈエリミネータ回路は、２分の１走査線期間より長いタイミング回路を有する、”不正確な”エリミネータ回路８６がするようにパルスの後縁よりも前縁をトリガオフし、そしてこれは水平レート信号を発生する、ことに注意する。不正確な２Ｈエリミネータ回路８６は、本発明に従って、出力９２に信頼性のある垂直レート信号９２を供給する。前述のように、図４の回路は、代わりに、垂直レート信号の代わりに信頼性のあるフレームレート信号を出力することができる。
【００３２】
不正確な２Ｈエリミネータ回路８６は、８８μｓ期間のほかのパルス期間を検知することにより、信頼性ある垂直（又は、フレーム）レート信号を発生もできる。例えば、回路８６は、フィールドの選択された走査線のＶＢＩ内で、すぐ後に垂直同期パルス期間が続く前等化パルス期間で発生する約７１μｓの期間も検出でき、そして、これは、ＶＢＩ発生の指示である。代わりに、本発明に従って、信頼性ある垂直レート信号を供給するために、回路８６は、フィールドの選択された走査線のＶＢＩ内の後等化パルス期間の最後の部分で発生する約９６μｓの期間を検出できる。これらの例の各々では、不正確な２Ｈエリミネータ回路８６はビデオ信号の後縁をトリガオフし、そして、ワンショット８８は、１水平走査線（例えば、６４μｓ）より長いがしかし２水平走査線（例えば、１２８μｓ）より短い期間を有する。
【００３３】
本発明のＶＢＩの位置を捜す技術を、ＮＴＳＣカラーテレビジョン規格に関して説明したが、ＰＡＬ等の他の規格にも等しく適用できる。
【００３４】
図５は、更に、ＶＢＩ信号の特定の特徴を含む従来にない手段を介して、信頼性ある垂直（又は、フレーム）レート信号を検知し且つ発生する、本発明の更なる実施例を示す。一実施例では、ビデオ同期信号は、入力９６とインバータ９８を介して、広い垂直同期パルス内の正の進行するＨ同期パルスの幅を測定する、パルス幅検出器１００へ供給される。正の進行するＨ同期パルスは約４．７μｓであり、そして、例えば、反転されたＨ同期信号を介して測定される。信頼性ある垂直レート信号１０２が出力１０２に供給される。図１Ｂの例＃３Ａを参照する。
【００３５】
図５の他の実施例では、垂直レート信号が、約１／２Ｈ−２．３μｓの時間期間の信号の幅を測定する、パルス幅検出器１０４を介して出力１０６に供給され、Ｈは水平走査線期間である。図１Ｂの例＃３Ｂを参照する。この継続期間は、例えば、図１からわかるように、水平走査線２６６及び／又は３−４で見つけられる。
【００３６】
更なる実施例は、約１／２Ｈ−４．７μｓの垂直同期パルスの幅を測定し、そして、信頼性ある垂直レート信号１１０を出力１１０に供給する、パルス幅検出器１０８を含む。図１Ｂの例＃３Ｃを参照する。
【００３７】
図６は、図３−５に前述の本発明の種々の実施例の更に詳細ないくつかを示す。ビデオ信号が、入力１２０を介して、同期分離器回路１２２に供給され、その出力は、インバータ１２６、ジャンパＪＰ１のコンタクト２，３と遅延回路１３０を介して、カウンタ１２４へ供給される。同期分離器１２２の出力は、ＪＰ１のコンタクト１とフリップフロップ１３２へも供給される。カウンタ１２４への信号は、同期パルスの前縁でそれをリセットする。このときに、フリップフロップ１３２に接続されたジャンパＪＰ２のコンタクト１、２は開放されている。カウンタ１２４は、発振器回路１２８によりクロックが与えられ、そして、次の同期パルスの前縁でゼロにリセットされる前に選択された数のクッロクヘカウントアップする。カウンタ１２４がゼロにエッジリセットされる前に、そこの最終カウント値がメモリラッチ１３４へ転送される。最終カウント値は、同期信号の連続する前縁の変化の間の期間を示す。ラッチ１３４からの出力は、ディジタル比較器１３６、１３８、１４０及び、１４２へ供給され、これは、それぞれのしきい値入力Ｌ１−Ｌ２，Ｌ３−Ｌ４，Ｌ５−Ｌ６及び、Ｌ７−Ｌ８により設定された数の範囲に基づいて、それぞれの出力１４４、１４６、１４８及び、１５０に、ハイ論理状態信号（即ち、Ｖレート信号１４４，１４６，１４８，１５０）供給する。
【００３８】
例により、発振器回路１２８からのクロックが１μｓレートで動作している場合には、ラッチ１３４は、他の望ましい数だけでなく、６４，３２，５６及び、７の数を出力する。ディジタル比較器１３６は、それぞれ数３０と３６にに設定されたしきい値入力Ｌ１，Ｌ２を有してもよく、それにより、ラッチ１３４からの両端を含めた３０から３６のカウント値は、出力１４４にハイ論理状態を供給する。ＡＮＤゲート１４５は、出力１４４と接続され、そして、ＪＰ１のコンタクト２とも接続され、そして、出力１４７に３２μｓの期間の発生を示すゲートされた信号を供給する。
【００３９】
同様に、ディジタル比較器１３８は、入力Ｌ３、Ｌ４に５から９の数の制限が設定され、それにより、例えば、７のカウント値は、それぞれの出力１４６にハイ論理状態を供給する。ディジタル比較器１４０は、５４から５９の制限が設定され、それにより、５６又は、５７のカウント値は、出力１４８にハイ論理状態を供給する。従って、ディジタル比較器１３６−１４０は、連続する同期信号エッジの間の３２μｓ、７μｓ及び、５６μｓ期間の検出回路を含み、この期間は図３，４，５に関連して前述した及び例えば図１に示された例に従うことが分かる。
【００４０】
この状況では、ジャンパＪＰ１がどのコンタクトにも接続されておらずそして、ジャンパＪＰ２はロードされ、”不正確な”２Ｈエリミネータ回路１５２は、フリップフロップ１３２とカウンタ１５４を介して設けられる。フリップフロップ１３２は、同期の後縁でハイ出力を設定する。カウンタ１５４は、フリップフロップ１３２をリセットし自身もリセットする前に、２分の１ビデオ走査線期間以上（即ち、４０μｓ又は、発振器１２８からの１μｓクロックの４０カウント値）の間カウントする。フリップフロップ１３２からの出力は、２分の１の走査線期間よりも長い幅のパルスであり、そして、カウンタ１２４、ラッチ１３４そして、ディジタル比較器１４２へ供給される。後者は、比較器１３６−１４０がするように、連続するパルスのエッジ間の間隔をも検出する。フリップフロップ１３２の出力は、通常は、約６４μｓであるが、しかし、８８μｓ間隔が、ＶＢＩあたり１回、垂直又はフレーム周波数レートで発生する。従って、フリップフロップ１３２は、発振器回路１２８が１μｓ期間で動作しているとすると、６４又は８８の数を供給する。ディジタル比較器１４２は、入力Ｌ７及びＬ８を介して、限度８６から９０に設定され、そして、従って、８８μｓ間隔が発生するときにはいつでも、出力１５０に論理ハイ状態を供給する。図１の例＃６を参照する。
【００４１】
図６Ａは、例えば、図６の出力１４４、１４７の信号を受信し、そして、特定の間隔の最少の数のパルスが発生したときに、出力１６０に、ハイ論理状態を供給する、従属する回路の代わりの実施例を示す。インバータ１６２は、入力１４４の信号をカウンタ１６４へ供給し、ここで、後者は、入力１４７にゲートされた信号を介してクロックが与えられる。カウンタ１６４は、ゼロにリセットされる前に、例えば、３２μｓ間隔が発生する回数をカウントし、そして、結果の出力を、ディジタル比較器１６６へ出力する。後者は、例えば、３２カウント又は３２μｓの、２，５等より多いパルスの入力Ｌ９を介して供給された設定された限度を有し、それにより、出力１６０を介して信頼性ある垂直レート信号に対応するハイ論理状態を出力する。
【００４２】
図６Ａの回路は、垂直レートパルスが、適切な間隔、期間又は幅の特定の数のパルスが生成された後にのみ発生される、ある雑音のある状態で有益である。
【００４３】
図７は、正の進行するパルスのパルス幅を測定する本発明の実施例を示す。このために、正の進行するパルスは、入力１６８を介して、インバータ１７０を介して遅延回路１７２に入力され、ラッチ１７４のクロック入力にも供給される。遅延１７２の出力は、カウンタ１７６が、正の進行するパルスの継続時間の間そのクロック入力に供給されたクロックをカウントする。最終カウント値がリセットされる前に、ラッチ１７４は、カウンタ１７６の最後の数を格納する。従って、遅延１７２は、ラッチ１７４が、カウンタ１７６のリセット前に最後のカウント値を格納することを許す。ラッチ１７４の出力は、正の進行するパルスのパルス幅に対応する数を供給する。例えば、カウンタ１７６へのクロックが０．１μｓの期間を有する場合には、２．３μｓの正の進行するパルスは、ラッチ１７４から出力へ数２３を発生する。ディジタル比較器１７８は、そして、ラッチ１７４から供給される数を受信し、そして、数の範囲即ち、比較器１７８へ入力Ｌ１０とＬ１１に設定された限度内となる数に対して、出力１８０に論理ハイ状態を発生する。例えば、Ｌ１０は２０に設定され、そしてＬ１１は２６に設定される。
【００４４】
前述のように、図３−７は、前述の本発明の第１の部分に関する。以下の図８−１１及び１１Ａは、本発明の第２の部分に関し、前述のように、ＶＢＩの特定の特徴の信号を使用して垂直レート信号を得る本発明の第１の部分の従来にない技術を使用するときのような、信頼性のある垂直レート信号の連続する発生を防止する手段を含む。
【００４５】
このために、図８は、本発明の前述の第２の部分の基本回路を示し、図２と図３−７の本発明の第１の部分に関して説明されたような垂直レート信号える従来にない技術を使用することを防止するために、ビデオ信号又はＡＣＰビデオ信号のＶＢＩが、選択的に修正される。図８では、ビデオ信号又はＡＣＰビデオ信号は、入力１８１を介して、図２のタイミング回路２２と同様なタイミング回路１８２と、（第３の）信号処理回路１８４へも、供給される。回路１８２からのタイミング信号は、ＶＢＩへ、図２の処理回路２６のような回路が正しい又は信頼性のある垂直レート信号発生することを防止する選択された信号を、順に選択的に修正し、減じ、加え及び／又は挿入する、信号処理回路１８４へ供給される。そのような選択された信号は、図１０の例により示されている。このように、回路１８４は、”不正確な”又は信頼性のない垂直レート信号を出力１８５に出力する。
【００４６】
図９は、図３−７に関して前述した技術により例えば、供給されるような信頼性のある垂直レート信号の発生を防止する、本発明の実施例の回路を示す。図９では、ビデオ信号が、入力１９２を介して、タイミング回路１８６と、第１と第２のスイッチ１８８，１９０の１つの入力に供給される。スイッチ１８８と１９０の第２の入力は、選択された電圧Ｖｂ１とＶｂ２がそれぞれ供給される。タイミング回路１８６は、走査線６−７と２６９の位置を識別し、そして、選択されたときに７μｓ間隔が実質的に除去されるように、ビデオ同期パルスを修正するためにスイッチ１８８を制御するのに使用される、第１の信号を供給する。従って、ＶＢＩ内で７μｓのパルスを検出することにより信頼性のある垂直レート信号が発生される、上述の技術は、破られる。
【００４７】
タイミング回路１８６は、ビデオ走査線３．５と２６６の位置を識別し、そして、選択されたときに５６．５μｓ間隔が実質的に除去されるように、ビデオ同期パルスを修正するためにスイッチ１９０を制御するのに使用される、第２の信号を供給する。これは、信頼性ある垂直レート信号を発生するために、５６．５μｓの間隔を検知する前述の技術を破る。
【００４８】
他の実施例は、信頼性ある垂直レート信号を発生するためにそれらが検出されることを防ぐために、種々のエッジ間隔及び／又はパルス幅を実質的に除去する又は選択的に修正するために適用されうる。例えば、Ｖ同期パルスは、例えば、７μｓ間隔（図１例＃２）について、実質的にその検出を除去するために、走査線６−７及び２６９で、十分に短くされる又は長くされる。
【００４９】
図１０は、例により、同期パルスと同様な、例えば、約７μｓ、約５６．５μｓ、及び／又は約３２μｓ期間のこれらの信号が、アクティブビデオフィールドの最後又は先頭に又は付近に位置に挿入されるように、ビデオ信号の異なる位置への特定の信号の挿入を示す。例えば、他の例は、垂直同期信号領域の先頭及び／又は最後付近の信号の修正である。（垂直同期信号は、前及び後等化及び広い同期パルス期間を含む）。図１０の例＃７と＃８を参照する。これらの信号は、図９に示されたような回路を使用して、ビデオ信号に挿入される。
【００５０】
図１１は、従来にない垂直レート発生器又は検出回路に、失敗させ、一貫性なく動作させ、又は、間違ったときに垂直レート信号発生するように動作させるようにするために、ビデオ信号又はコピー防止保護（ＡＣＰ）ビデオ信号を修正する更なる実施例を示す。図１１では、ビデオ信号は、入力１９８を介して、Ｈ同期及びフレーム信号をタイミング回路２０２へ供給する、同期分離回路２００へ供給される。タイミング回路２０２の出力は、入力ビデオ信号も接続された修正器回路２０４に接続される、走査線及び画素位置信号である。修正器回路２０４は、削除し、挿入し、減じ、狭め、広げ、幅変調し、振幅変調し、位置変調し、及び／又はレベルシフト処理をするように、選択的な処理により、ビデオ信号の部分又は複数の部分の修正を行う。１つのそのような修正する回路は、異なるレベルの信号で標準の帰線消去、同期チップ等のレベル信号を置換する、信号挿入回路でも良い。
【００５１】
例により、前述の修正のための種々の処理は、次を含む：
１）等化パルス又は、２分の１走査線パルスの組合せの修正。例えば、垂直同期信号内の２分の１走査線パルスの組合せを修正する（即ち、図１の両端を含む、走査線１−９及び／又は走査線２６３から２７１）。これは、３２μｓ検出器（図３の回路４０、４４と比較して）に、信頼性のない垂直レート信号を出力させる。
【００５２】
２）図４の７μｓ間隔検出器の、回路５８のような回路が、信頼性のない垂直レート信号を発生するように、走査線６の最後及び／又は走査線２６９の中間で正の進行するパルスを修正する。
【００５３】
３）図４の７μｓ間隔検出器の、回路５８のような回路が、信頼性のない出力を発生するように、走査線７の先頭及び／又は走査線２６９の中間で負の進行するパルスを修正する。
【００５４】
４）図４の７μｓ間隔検出器５８のような回路が、信頼性のない出力を発生するように、前及び／後等化パルスの組合せを修正する。
【００５５】
５）図４の５６．５μｓ間隔検出器６２のような回路が、信頼性のない出力を発生するように、走査線２６６の先頭及び／又は走査線３の中間で負の進行するパルスの組合せを修正する。
【００５６】
６）不正確な２Ｈエリミネータ回路と８８μｓ間隔検出器を有する、図４の回路８６のような回路が、信頼性のない出力を発生するように、走査線４の中間及び／又は走査線２６６の最後で正の進行するパルスの組合せを修正する。
【００５７】
７）正及び／又は負の進行するパルスのいずれかを、選択的に加え又は挿入することにより、ビデオ信号を修正する。例えば、少なくとも１つの負の進行するパルスを前又は後等化パルスの位置へ加え又は挿入することは、図３に示されたような３２μｓ間隔検出器に、適切に又は信頼性よく動作させないことを引き起こす。他の例では、走査線６の領域に、好ましくは走査線６の最後で正の進行するパルスの近くに、少なくとも１つの正の進行するパルスを加え又は挿入することは、図４の間隔検出器５８のような、７μｓ検出器に、信頼性なく動作させる。更に他の例では、走査線２６６の最初の半分の走査線中に又は、走査線３の最後の付近で、負の進行するパルスを加え又は挿入することは、図４の検出器６２のような、５６．５μｓ間隔検出器に、信頼性良く動作させないことを発生できる。
【００５８】
８）さらに、負の進行するパルスを、変調して又はなしで、ＶＢＩの外側の領域に、前の例の３２μｓ、７μｓ、５６．５μｓ及び／又は８８μｓ検出器に、即ち、早い及び／又は遅い、間違ったタイミングを有する垂直レートパルスを出力させるために、加え又は挿入することが可能である。
【００５９】
９）２又は２．３μｓ幅検出器に早い及び／又は遅い出力を発生させるために、等化パルスの継続期間へ、ある水平同期パルスを狭めることも可能である。
【００６０】
１０）４．７μｓ検出器が早く及び／又は遅く信号を出力するようにこれらの位置で約４．７μｓの少なくとも１つの正の進行するパルスを形成するために、前及び／又は後等化パルス位置で、Ｈ同期パルスの継続期間の負の進行するパルスを加え又は挿入することも可能である。
【００６１】
１１）図１に”Ｚ”とラベルの付されたパルスのような、少なくとも１つの等化パルスを、減じ、狭め、又は、帰線消去処理により、修正する。代わりに、少なくとも１つの鋸歯状パルス図１の”Ｚ１”は、同様な方法で修正されうる。一例は、全てのＺパルスを除去することである。
【００６２】
１２）上述の可能性１−１１の組合せを使用することにより、修正処理を提供することも可能である。
【００６３】
図１１Ａは、更に詳細に、例えば前述の、種々の検出器及び／又は垂直レート発生器に、信頼性のない垂直レート信号出力させることを発生するために、ビデオ信号を修正する、修正回路２０４の実施例を示す。図１１Ａは、信号の挿入のための処理を特に示す。入力ビデオは、入力２０８を介してスイッチ２０６に接続されている。スイッチ２０６は、負の及び／又は正の進行するパルスのいずれかをビデオ信号に挿入することをスイッチ２０６に許すために、ビデオ信号の選択された部分については論理ハイである、ＡＮＤゲート２１０により制御される。スイッチ２０６の第２の入力に印加された電圧源Ｖｂ（ｔ）が標準帰線消去レベルより低い時には、負の進行するパルスが挿入され及び／又は、現在ある負の進行するパルスが広げられる。代わりに、Ｖｂ（ｔ）が約標準帰線消去レベルであるときには、現在ある負の進行するパルスは、少なくとも狭められ又は正の進行するパルスが挿入される。いずれの状況でも、修正された同期パルスを有するビデオ信号は、増幅器２１２と出力２１４を介して出力される。
【００６４】
図１２は、前述の本発明の第３の部分に対応する本発明の他の実施例を示し、本発明の第１の部分の従来になく得られた信頼性のある垂直レート信号が、ビデオ信号を選択的に修正するために使用される。このために、図１２は、回路４２、４４、５８、６２、６６、７０、８６、１００、１０４及び／又は１０８で示された方法で発生された、信頼性のある垂直レート信号（ＶＩＤ）を使用する。信号ＶＩＤは、入力２１６を介して、ＶＢＩ継続期間の少なくとも部分でタイミング信号を発生するタイミング発生器回路２１８へ接続され、タイミング信号は、ＡＮＤゲート２２０に供給される。ＶＩＤ信号は、入力２２６を介して帰線消去回路２２８に供給されている、ビデオ信号の水平同期位相と周波数に実質的に近いパルスを発生するために、発振器回路２２４によりクロックが与えられたカウンタ２２２に時を指定するためにも、与えられる。タイミング発生器２３０は、入力ビデオ信号のＨＢＩ付近内にある、パルスを発生するために使用される。典型的には、発生器２３０の出力のパルス継続期間は、１μｓから１０μｓの範囲内であり、一例は４．７μｓである。発生器２１８の出力は、帰線消去回路２２８を介して帰線消去する又はＶＢＩの幾つかの部分を置き換えるのにも使用される。結合回路２３２は、ＡＮＤゲート２２０の負入力に接続され、そして、正の入力で、帰線消去回路２２８へ接続され、そして、タイミング発生器２３０により供給される少なくとも幾つかの再生された同期パルスを加え戻すのに使用される。このように、結合回路２３２の出力２３４は、ＶＢＩ付近の外側と実質的に同じビデオ信号を有するがしかし、コピー防止保護信号の効果（即ち、ＴＶ受信器及び／又はＶＣＲ内の効果）を変更するために、修正された、減じられた又は、除去されたＶＢＩの幾つかの部分を有する、信号である。
【００６５】
本発明を、特定の実施例に関して説明したが、種々の追加の特徴及び優位点は、説明と図面から明らかであり、そして、本発明の範囲は請求項及びその等化物により定義される。
【図面の簡単な説明】
【図１】
ＮＴＳＣカラービデオ規格についての従来の垂直帰線消去期間（ＶＢＩ）の信号波形を示し、更に前述の且つ以下に示す、垂直レート信号を検知し且つ決定する、種々の実施例の技術を示す部分的な図である。
【図１Ａ】
波形の更に詳細な関連部分を示す図１の部分の拡大図である。
【図１Ｂ】
波形の更に詳細な関連部分を示す図１の部分の拡大図である。
【図２】
本発明の第１の部分に従って従来にない手段を介して、垂直レート信号を得る垂直レート信号再生回路の基本構成を示すブロック図である。
【図３】
信頼性のある垂直レート信号を発生するために約３２マイクロ秒（μｓ）のパルス期間を検知する本発明の実施例を示すブロック図である。
【図４】
７μｓ、約５６．５μｓ及び８８μｓのパルス期間を検知し及び／又は、約２μｓ及び／又は５μｓより大きいパルス幅を検知する、本発明の幾つかの実施例を示すブロック図である。
【図５】
信頼性のある垂直レート信号を得るために、種々の選択された継続期間のパルス幅を検知する、本発明の更に他の実施例を示すブロック図である。
【図６】
図３、４及び、５の例について前述した、本発明の更に詳細な幾つかの実施例を示すブロック図である。
【図６Ａ】
所定の雑音のある信号状態で、例えば、図６の回路と共に有益な、本発明の従属する実施例示すブロック図である。
【図７】
正の進行中のパルスのパルス幅を測定する本発明の他の実施例を示すブロック図である。
【図８】
本発明の第２の部分の垂直レート信号再生回路の基本構成を示すブロック図であり、これは、不正確な、即ち、信頼性のない、垂直レート信号を得るように；即ち、適切な即ち、図２、及び、図３−７の回路により提供されるような、信頼性のある、垂直レート信号の発生を破る又は防止するようになされている。
【図９】
正確な又は信頼性のある垂直レート信号の発生を破る即ち防止する、図８の基本構成の実施例を示すブロック図である。
【図１０】
信頼性のある垂直レートパルスの発生を防止するために、例えば図１に示されたビデオ信号の異なる位置の選択されたパルスの追加を示すＶＢＩの波形の一部分の図である。
【図１１】
正確な又は信頼性のある垂直レート信号の発生を破る又は防止する本発明の第２の部分の他の実施例を示すブロック図である。
【図１１Ａ】
図１１の本発明の更なる実施例のブロック図を示し、且つ、正確な又は信頼性のある垂直レート信号を発生することを防止するために、ビデオ信号内にパルス又は信号を挿入する他の回路を示す図である。
【図１２】
図３−７で発生されたような信頼性のある垂直レート信号が、ＶＢＩ内のコピー防止保護信号の選択された部分を修正するのに使用される、本発明の前述の第３の部分の実施例を示すブロック図である。
【図１】
2004517567.tif 000002
【図１Ａ】
2004517567.tif 000003
【図１Ｂ】
2004517567.tif 000004
【図２】
2004517567.tif 000005
【図３】
2004517567.tif 000006
【図４】
2004517567.tif 000007
【図５】
2004517567.tif 000008
【図６】
2004517567.tif 000009
【図６Ａ】
2004517567.tif 000010
【図７】
2004517567.tif 000011
【図８】
2004517567.tif 000012
【図９】
2004517567.tif 000013
【図１０】
2004517567.tif 000014
【図１１】
2004517567.tif 000015
【図１１Ａ】
2004517567.tif 000016
【図１２】
2004517567.tif 000017
【国際公開パンフレット】
2004517567.tif 000018
2004517567.tif 000019
2004517567.tif 000020
2004517567.tif 000021
2004517567.tif 000022
2004517567.tif 000023
2004517567.tif 000024
2004517567.tif 000025
2004517567.tif 000026
2004517567.tif 000027
2004517567.tif 000028
2004517567.tif 000029
2004517567.tif 000030
2004517567.tif 000031
2004517567.tif 000032
2004517567.tif 000033
2004517567.tif 000034
2004517567.tif 000035
2004517567.tif 000036
2004517567.tif 000037
2004517567.tif 000038
2004517567.tif 000039
2004517567.tif 000040
2004517567.tif 000041
2004517567.tif 000042
2004517567.tif 000043
2004517567.tif 000044
2004517567.tif 000045
2004517567.tif 000046
2004517567.tif 000047
2004517567.tif 000048
2004517567.tif 000049
2004517567.tif 000050
2004517567.tif 000051
2004517567.tif 000052
2004517567.tif 000053
2004517567.tif 000054
2004517567.tif 000055
2004517567.tif 000056
2004517567.tif 000057
2004517567.tif 000058
2004517567.tif 000059
2004517567.tif 000060
2004517567.tif 000061
【国際公開パンフレット（コレクトバージョン）】
2004517567.tif 000062
【手続補正書】
【提出日】平成14年12月17日(2002.12.17)
【手続補正１】
【補正対象書類名】明細書
【補正対象項目名】特許請求の範囲
【補正方法】変更
【補正の内容】
【特許請求の範囲】
【請求項１】
ビデオ信号内の垂直帰線消去期間（ＶＢＩ）を識別する方法であって、ＶＢＩはビデオ水平走査線と水平同期（Ｈ同期）信号を有し、
垂直帰線消去期間の選択されたビデオ走査線内に発生するパルスの選択されたエッジの間で発生する時間期間を検知するステップと、
検知された時間期間に応答して、ＶＢＩ内の望ましい位置に、ＶＢＩの存在を信頼性よく示す、垂直／フレームレート信号を発生するステップとを有する、垂直帰線消去期間を識別する方法。
【請求項２】
パルスの選択されたエッジは、選択されたビデオ走査線のＶＢＩの前等化、後等化又は、垂直同期パルス期間に発生する、請求項１に記載の方法。
【請求項３】
発生するステップは、
望ましい位置を示すタイミング信号を生成し、
そのタイミング信号に応答して、その望ましい位置で、信頼性のある垂直／フレームレート信号を再生する、ことを含む請求項１に記載の方法。
【請求項４】
検知するステップは、
Ｈ同期パルスの間の時間期間を検知し、且つ、Ｈ同期信号の間の時間期間が、標準の６４マイクロ秒ではなく、ＶＢＩでのみ発生する約３２マイクロ秒（μｓ）であるときに検出する、ことを含む請求項１に記載の方法。
【請求項５】
検知するステップは、ビデオ信号を３２μｓ±２０％の間隔を検出する手段へ供給することを含む、請求項４に記載の方法。
【請求項６】
検知するステップは、ＶＢＩの等化パルス及び／又は鋸歯状の垂直同期パルスからエッジの３２μｓの間隔により発生された約３２μｓ期間に対応する周波数成分を検知することを含む、請求項４に記載の方法。
【請求項７】
検知するステップは、標準のＨ同期信号は出力を生成しないが、一方、垂直同期信号のような５μｓより長いパルスは信頼性のある垂直／フレームレート信号を発生するように、Ｈ同期信号の最初の５マイクロ秒（μｓ）をゲートすることを含む、請求項１に記載の方法。
【請求項８】
少なくとも５μｓの継続期間であるＨ同期信号を発生し、
標準のＨ同期信号の発生を遅延し、
信頼性ある垂直／フレームレート信号に対応する広い垂直同期信号の出力を供給するために、より長いＨ同期信号と遅延された標準のＨ同期信号を結合する、ことを含む、請求項７に記載の方法。
【請求項９】
検知するステップは、ビデオ走査線６−７及び走査線２６９でＶＢＩに発生する前縁変化の間の約７μｓの時間期間を検知する、ことを含む、請求項１に記載の方法。
【請求項１０】
検知するステップは、４．７μｓより短く且つＶＢＩ内で発生する同期信号のパルス幅を測定することを含む、請求項１に記載の方法。
【請求項１１】
検知するステップは、広い垂直信号の出力を許すために、４．７マイクロ秒（μｓ）より長いがしかし約２７μｓより短いパルスを発生するために、同期の前縁をトリガオフし一方、２７μｓの継続期間より長いＨ同期信号をゲートすることを含む請求項１に記載の方法。
【請求項１２】
検知するステップは、２つのパルスの後縁変化の間の間隔を測定し、かつ、走査線２６６と走査線３−４で発生する約５６．５マイクロ秒の間隔を検知する、ことを含む、請求項１に記載の方法。
【請求項１３】
検知するステップは、２分の１のビデオ走査線継続期間より長いパルスの継続期間についてのＨ同期信号の後縁をトリガオフし、且つ、ＶＢＩ内の選択された走査線で１水平走査線より長いがしかし２水平走査線より短い間隔を検知することを含む、請求項１に記載の方法。
【請求項１４】
検知するステップは、その期間が２分の１の走査線継続期間より長いタイミング信号を発生し、
タイミング信号に応答して、約６４マイクロ秒（μｓ）より長いがしかし約１２８μｓより短い期間を検出する、ことを含む請求項１３に記載の方法。
【請求項１５】
その期間は約８８μｓである、請求項１４に記載の方法。
【請求項１６】
その期間は約７１μｓである、請求項１４に記載の方法。
【請求項１７】
その期間は約９６μｓである、請求項１４に記載の方法。
【請求項１８】
約５６．５μｓの走査線２６６の後縁の間の間隔を検知することを含む、請求項１３に記載の方法。
【請求項１９】
ＶＢＩは選択されたビデオ走査線に擬似同期パルスを含み、且つ、検知するステップは、擬似同期パルス間の１０マイクロ秒より短い公称間隔を検知することを含む、請求項１に記載の方法。
【請求項２０】
ビデオ信号は、コピー保護信号を含み、更に、
ビデオ信号内のコピー保護信号の効果を減じ又は破るために、その発生された垂直レート信号に応答してコピー保護信号を修正するステップを有する、請求項１に記載の方法。
【請求項２１】
修正するステップは、
そのＶＢＩに選択された継続期間のパルスを供給し、
ビデオ信号に標準Ｈ同期信号の位相と周波数に実質的に同等な再生された同期パルスを供給し、
選択された継続期間のパルスに応答してそのＶＢＩの少なくとも部分を帰線消去し、
コピー保護信号をそれに従って変えるために、そのＶＢＩの帰線消去された部分へ、少なくとも幾つかの再生された同期パルスを戻して加える、ことを含む、請求項２０に記載の方法。
【請求項２２】
再生された同期パルスは、約１マイクロ秒から約１０マイクロ秒の継続期間を有する、請求項２１に記載の方法。
【請求項２３】
ビデオ信号内の垂直帰線消去期間（ＶＢＩ）を識別する装置であって、ＶＢＩはビデオ水平走査線と水平同期（Ｈ同期）信号を有し、
ビデオ信号内の同期信号を示すタイミング信号を供給するためにビデオ信号を受信するタイミング回路と、
ＶＢＩのビデオ信号には特別な選択されたパルス幅及び／又はパルスエッジ間隔を検知し、且つ、垂直フレームレート信号を発生する、タイミング信号に応答する処理回路と、を有する垂直帰線消去期間を識別する装置。
【請求項２４】
前記処理回路は、選択されたパルス幅及び／又はパルスエッジ間隔の検知に応答して、ＶＢＩの望ましい位置に、ＶＢＩの存在を示す、垂直／フレームレート信号を発生する手段を有する、請求項２３に記載の装置。
【請求項２５】
発生する手段は、ＶＢＩの望ましい位置に信頼性のある垂直／フレームレート信号を再生するための第２のタイミング信号を発生するタイミング発生器回路を含み、これはビデオ信号の選択的な修正を可能とする、請求項２４に記載の装置。
【請求項２６】
そのタイミング回路は、同期分離器回路を含む、請求項２３に記載の装置。
【請求項２７】
その処理回路は、
パルス変化間隔の間の３２マイクロ秒±２０％の期間を検知する間隔検出器と、
垂直／フレームレート信号を発生するためにその間隔検出器に応答する手段とを有する、請求項２３に記載の装置。
【請求項２８】
その処理回路は、ＶＢＩの等化パルス及び／又は鋸歯状の垂直同期パルスのエッジ変化の３２μｓの間隔により発生された約３２マイクロ秒（μｓ）期間に対応する周波数成分を検知するためにビデオ信号を受信する周波数検知回路を有する、請求項２３に記載の装置。
【請求項２９】
約１６μｓ期間のワンショット回路と、
そのワンショット回路回路に接続された２０から４５ｋＨｚの帯域通過フィルタと、
その帯域通過フィルタに接続されたしきい値検出器回路とを有する、請求項２８に記載の装置。
【請求項３０】
その処理回路は、
ビデオ走査線６−７及び／又は２６９の前縁変化の間の７マイクロ秒の間隔を検知する間隔検出器と、
垂直／フレームレート信号を発生するためにその間隔検出器に応答する手段とを有する、請求項２３に記載の装置。
【請求項３１】
その処理回路は、
後縁変化の間の約５６．５マイクロ秒の間隔を検知する間隔検出器と、
垂直／フレームレート信号を発生するためにその間隔検出器に応答する手段とを有する、請求項２３に記載の装置。
【請求項３２】
その処理回路は、
約２マイクロ秒（μｓ）のパルス幅を検知するパルス幅検出器と、
垂直／フレームレート信号を発生するためにそのパルス幅検出器に応答する手段とを有する、請求項２３に記載の装置。
【請求項３３】
そのパルス幅検出器は、反転された同期パルスを受信し、且つ、４．７μｓのパルス幅を検知する、請求項３２に記載の装置。
【請求項３４】
その処理回路は、
５μｓより長いパルスのみが垂直／フレームレート信号を発生するように、いすれの同期パルスの最初の５マイクロ秒（μｓ）をゲートするために反転されたビデオ信号を受信するパルス検出器回路を有する、請求項２３に記載の装置。
【請求項３５】
そのパルス検出器回路は、
少なくとも５μｓのパルスを供給するために反転されたビデオ信号を受信するワンショット回路と、
その反転されたビデオ信号を受信する遅延線と、
５μｓのパルスの反転版と遅延された反転されたビデオ信号の反転版を受信するＡＮＤゲートとを有する、請求項３４に記載の装置。
【請求項３６】
その処理回路は、
ビデオ同期信号の後縁をトリガオンし且つその期間は２分の１のビデオ走査線よりも長い、タイミング回路と、
１水平走査線より長いがしかし２水平走査線よりも短い期間を検知する、そのタイミング回路に応答する検出器回路と、
垂直／フレームレート信号を発生するためにその検出器回路に応答する手段とを有する、請求項２３に記載の装置。
【請求項３７】
その検出器回路は、そのタイミング回路からの前縁変化に応答し、且つ、検知された期間は約７１、８８又は、９６マイクロ秒を有する、請求項３６に記載の装置。
【請求項３８】
その処理回路はインバータ回路を有し、パルス幅検出器は４．７マイクロ秒のパルス期間を検知するためにそのインバータ回路に応答する、請求項２３に記載の装置。
【請求項３９】
その処理回路は、２分の１水平走査線（１／２Ｈ）−ビデオ走査線３−４及び２６６の２．３マイクロ秒の期間について検知するパルス幅検出器を有する、請求項２３に記載の装置。
【請求項４０】
その処理回路は、２分の１水平走査線の期間（１／２Ｈ）−４．７マイクロ秒について検知するパルス幅検出器を有する、請求項２３に記載の装置。
【請求項４１】
そのビデオ信号は、標準ビデオ信号又はコピー保護信号を含むビデオ信号を有し、更に、
標準ビデオ信号又はコピー保護信号を選択的に修正するために、発生された信頼性のある垂直／フレームレート信号に応答する第２の処理回路を有する、請求項２３に記載の装置。
【請求項４２】
その第２の処理回路は、
ＶＢＩに選択された継続期間のパルスを発生する第２のタイミング発生器回路と、
Ｈ同期信号に実質的に同様な再生された同期パルスを発生するカウンタ／タイミング回路と、
その選択された継続期間のパルスに応答して、ＶＢＩの少なくとも部分を帰線消去するために、ビデオ信号を受信する帰線消去回路と、
標準のビデオ信号又はコピー保護信号を修正するために、ＶＢＩの帰線消去された部分へ、幾つかの再生された同期パルスを加えて戻す結合回路とを有する、請求項４１に記載の装置。
【請求項４３】
選択されたビデオ走査線だけでなく、ＶＢＩの選択された部分のそれぞれの位置を識別するタイミング／位置信号を供給するステップと、
信頼性のない垂直／フレームレート信号を発生するために、それらの検出を発生するために、タイミング／位置信号に応答して、ＶＢＩ内又は付近の選択された信号の種々のパルスエッジ間隔及び／又は幅を修正するステップと、
を有する、信頼性のある垂直／フレームレート信号が、ビデオ信号のＶＢＩの信号の特定の特徴及び特性に基づいて今までにない技術を介して、ビデオ信号内に発生される請求項１に記載の方法。
【請求項４４】
供給するステップは、アクティブビデオフィールドの最後の又は付近の位置を識別し、
修正するステップは、信頼性のある垂直／フレームレート信号の発生を防止するために、その位置へ標準同期パルスと同様な選択された信号を挿入することを含む請求項４３に記載の方法。
【請求項４５】
供給するステップは、Ｈ同期及びフレーム信号を供給することを含み、タイミング／位置信号はそのＨ同期及びフレーム信号に応答して走査線及び画素位置信号を供給し、
修正するステップは、その走査線及び画素位置信号に応答してビデオ信号の１つ又はそれ以上の部分を減じ、幅を変え、選択的に変調し及び／又はレベルシフトすることを含む、請求項４３に記載の方法。
【請求項４６】
ＶＢＩは２分の１の走査線等化と垂直同期パルスを有し、修正するステップは、垂直期間内のビデオ走査線の、等化パルス又は２分の１走査線パルスの組合せを修正することを含み、これは、３２マイクロ秒（μｓ）検出器に、信頼性のない垂直／フレームレート信号を発生させる、請求項４３に記載の方法。
【請求項４７】
１つ又はそれ以上の負又は正の進行中のパルスが、等化パルスの選択された位置に加えられ又は挿入される、請求項４６に記載の方法。
【請求項４８】
１つ又はそれ以上の等化及び／又は垂直同期パルスが、それらを減じ、狭め又は、除去することにより修正される、請求項４６に記載の方法。
【請求項４９】
変調された又はされていない、負の進行中のパルスは、パルスエッジ間隔又は幅の検出器に、誤って時を指定された垂直／フレームレートパルスを発生させるために、ＶＢＩの外側のビデオ信号に加えられ又は挿入される、請求項４３に記載の方法。
【国際調査報告】
2004517567.tif 000063
2004517567.tif 000064
2004517567.tif 000065
2004517567.tif 000066
2004517567.tif 000067